(57)【特許請求の範囲】
【請求項１】
一方の筒端を開放させた有底の筒状部を有し、かつ、この筒状部の筒軸に直交する向きにある向き合った側部に、紐の通し穴をそれぞれ透設して備えた雌部材と、
一方の筒端を開放させた有底の外側筒状部と、この外側筒状部の内側に当該外側筒状部の内面との間に前記雌部材の筒状部を当該筒状部の開放側から移動可能に入り込ませる間隔を開けて設けられる内側突出部を前記外側筒状部の内底部から突き出し状に備えた雄部材と、
前記雌部材の内底部と前記雄部材の内側突出部の先端部との間にあって、前記雄部材の外側筒状部と内側突出部との間に差し入れられた当該雌部材を、当該雄部材内から抜き出させる向きに常時付勢させる付勢部材とを備えており、
前記雄部材の外側筒状部と内側突出部とにはそれぞれ、前記雌部材への抜き差し方向に直交する向きに、相互に連通される紐の通し穴が透設されていると共に、
前記雌部材への前記雄部材の所定の差し入れ位置で、当該雌部材の各通し穴と雄部材の各通し穴とが紐の通し入れ、又は、引き抜き可能に連通される構成としてあり、
前記雄部材の外側筒状部と前記雌部材の筒状部とに、前記付勢部材の付勢により相互に掛合し合う掛合部が形成してあることを特徴とする紐の留め具。
【請求項２】
雄部材の外側筒状部の開放側の筒端よりも内側突出部の先端部が低くしてあると共に、当該外側筒状部の開放側の筒端側に雌部材との掛合部が設けてあることを特徴とする請求項１記載の紐の留め具。
【請求項３】
掛合部が、雌部材の筒状部の底部側に向けられた掛合面を備えた雌側突部と、雄部材の外側筒状部の底部側に向けられた掛合面を備えた雄側突部とから構成してあり、前記雄部材の外側筒状部と内側突出部との間への前記雌部材の筒状部の差し入れに伴なう弾性変形により、前記雌側突部の掛合面と前記雄側突部の掛合面とが向き合うように、当該雌側突部を雄側突部が乗り越えるように構成してあることを特徴とする請求項１又は請求項２記載の紐の留め具。
【請求項４】
雌部材の筒状部における底部側に、当該筒状部の外面から外側に張り出す鍔部が設けてあると共に、当該雌部材の各通し穴と雄部材の各通し穴とが紐の通し入れ、又は、引き抜き可能に連通される当該雌部材への当該雄部材の所定の差し入れ位置で、前記鍔部に前記雄部材の外側筒状部の開放側の筒端が突き当たる構成としてあることを特徴とする請求項１、請求項２又は請求項３記載の紐の留め具。
【発明の詳細な説明】
【０００１】
【発明の属する技術分野】
この発明は、挿通される紐に対し、この紐の適宜の位置に留め付けをなすことができる、留め具の改良に関する。
【０００２】
【従来の技術】
有底筒状をなす雌部材１００の底と、この雌部材１００の開口１０２側からこの雌部材１００内に移動可能に収められる雄部材２００の内奥端２０１との間に、かかる雄部材２００を常時雌部材１００内から抜け出させる向きに付勢するバネ３００を介装させると共に、かかる付勢に抗した雌部材１００内への雄部材２００の所定位置Ｍへの押し込み操作に伴い、相互に連通される紐の通し穴１０３、２０３をかかる雄部材２００と雌部材１００とに設けて構成される留め具がある。（図２７ないし図２９）
【０００３】
かかる留め具よれば、前記雄部材２００の前記所定位置Ｍへの押し込みに伴って連通される各通し穴１０３、２０３に紐Ｗを通すことができ、あるいは、この連通状態において通された紐Ｗを抜き出すことができ、（図２７）また、紐Ｗを通した後、前記雄部材２００の押し込み操作を解くことにより、前記付勢により雄部材２００を抜け出し方向に移動させて、このように移動された雄部材２００の紐の通し穴２０３と雌部材１００の紐の通し穴１０３とにより、挿通した紐Ｗを挟み付け、この紐Ｗへの留め付けをなすことができる。（図２８）
【０００４】
また、かかる留め具にあっては、少なくとも雌部材１００がある程度の弾性変形が可能なプラスチック材料を成形して構成してあると共に、前記紐Ｗの抜け出し状態において、雄部材２００と雌部材１００とが分離しないように、雌部材１００の紐の通し穴１０３の上縁部に、前記バネ３００の付勢により掛合される掛合突部２０４を、雄部材２００の紐の通し穴２０３の下縁部に形成してある。この雄部材２００に設けられる掛合突部２０４は、雄部材２００の内奥端２０１側から突き出し端２０２側に向けて雄部材２００の外面からの突き出し寸法を次第に大きくするようにした傾斜面２０４ａを備えており、この傾斜面２０４ａを利用して、雌部材１００の開口１０２からの雄部材２００の押し込みに伴って当該雌部材１００側を弾性的に徐々に押し広げさせながらの、当該雌部材１００の紐の通し穴１０３に入り込む位置までの雄部材２００の差し入れを可能とすると共に、この入り込み位置での雌部材１００側の弾性復帰により、その後は、前記バネ３００の付勢により雄部材２００の掛合突部２０４が雌部材１００の紐の通し穴１０３の上縁部に掛合し、この掛合位置より先に雄部材２００は突き出されないものとされる。
【０００５】
【発明が解決しようとする課題】
しかるに、この種の留め具にあっては、その外観性を高めるなどの要請から、前記紐Ｗの抜け出し状態において、（図２９）留め具の全長、すなわち、前記雄部材２００の突き出し端２０２から雌部材１００の外底部１０４までの長さをできるだけ小さくすることが、また、求められている。
【０００６】
かかる留め具の全長は、前記雄部材２００の掛合突部２０４を当該雄部材２００の突き出し端２０２側に持っていけば行く程、小さくすることが可能とされるが、単純にこの掛合突部２０４を雄部材２００の突き出し端２０２側に移動させると、前記所定位置Ｍへの押し込み時における当該雄部材２００の内奥端２０１と雌部材１００の底１０１との間の間隔が小さくなり、この押し込み時におけるバネ３００の収まる間隔を確保し難いものとする。留め具の全長を小さくする観点からは、この押し込み時において前記バネ３００が略最大に圧縮されるようにしておくことが必要であるところ、この最大圧縮状態のバネ３００の全長を小さくさせることには、雄部材２００への付勢力を十分に確保させる観点から限界がある。
【０００７】
一方、前記掛合突部２０４を雄部材２００の突き出し端２０２側に移動させた分、雄部材２００の内奥端２０１側をこの突き出し端２０２側に近付けるように、雄部材２００自体の全長を短くして、前記所定位置Ｍへの押し込み時における前記バネ３００の収まる間隔を確保させることも、雄部材２００に紐の通し穴２０３があるために限界がある。この紐の通し穴２０３に内奥端２０１部を近付けすぎると、前記バネ３００の付勢により通された紐Ｗに押し当てられる当該通し穴２０３の前記内奥端２０１部側の剛性が低下し、当該紐Ｗに対する留め付け力を十分なものとできなくなったり、この内奥端２０１側の経時変形などを生じさせることが考えられる。
【０００８】
また、従来の留め具のように、雄部材２００の紐の通し穴２０３の下縁部に前記掛合突部２０４を形成させる以上、前記傾斜面２０４ａの関係から、かかる通し穴２０３の下縁と内奥端２０１部との間には一定の間隔が必要不可欠であり、やはり、雄部材２００の内奥端２０１側をこの突き出し端２０２側に近付けるように、雄部材２００自体の全長を短くすることには限界がある。
【０００９】
そこで、この発明は、この種の紐の留め具において、第一に、かかる従来の技術の不都合を解消することを目的とする。また、第二に、前記紐の抜け出し状態において、留め具の全長、すなわち、前記雄部材の突き出し端から雌部材の外底部までの長さを、留め具の機能を損なわずに、できるだけ小さくできるようにすることを目的とする。また、第三に、この種の留め具における操作性、外観性を向上させることを目的とする。
【００１０】
【課題を解決するための手段】
前記目的を達成するために、請求項１記載の発明にあっては、紐の留め具が、以下の（１）〜（６）の構成を備えたものとした。
（１）一方の筒端を開放させた有底の筒状部を有し、かつ、この筒状部の筒軸に直交する向きにある向き合った側部に、紐の通し穴をそれぞれ透設して備えた雌部材と、
（２）一方の筒端を開放させた有底の外側筒状部と、この外側筒状部の内側に当該外側筒状部の内面との間に前記雌部材の筒状部を当該筒状部の開放側から移動可能に入り込ませる間隔を開けて設けられる内側突出部を前記外側筒状部の内底部から突き出し状に備えた雄部材と、
（３）前記雌部材の内底部と前記雄部材の内側突出部の先端部との間にあって、前記雄部材の外側筒状部と内側突出部との間に差し入れられた当該雌部材を、当該雄部材内から抜き出させる向きに常時付勢させる付勢部材とを備えており、
（４）前記雄部材の外側筒状部と内側突出部とにはそれぞれ、前記雌部材への抜き差し方向に直交する向きに、相互に連通される紐の通し穴が透設されていると共に、
（５）前記雌部材への前記雄部材の所定の差し入れ位置で、当該雌部材の各通し穴と雄部材の各通し穴とが紐の通し入れ、又は、引き抜き可能に連通される構成としてあり、
（６）前記雄部材の外側筒状部と前記雌部材の筒状部とに、前記付勢部材の付勢により相互に掛合し合う掛合部が形成してある。
【００１１】
かかる構成によれば、前記雌部材への雄部材の所定の差し入れ位置において連通される各通し穴に通された紐を、前記付勢部材の付勢によりかかる雄部材の外側筒状部の通し穴の穴縁と雌部材の通し穴の穴縁とにおいても挟み付けることができることから、この紐の挟み付けにおいて雄部材に加わる力が、内側突出部の先端部と当該内側突出部の紐の通し穴との間に集中しないようにすることができる。すなわち、かかる力を、雄部材の外側筒状部の先端部と当該外側突出部の紐の通し穴との間でも受けさせることができる。
【００１２】
この結果、かかる構成によれば、前記雄部材の内側突出部の先端部と当該雄部材の紐の通し穴の穴縁間の間隔をできるだけ小さく設定することが可能となる。
【００１３】
したがって、かかる構成によれば、雄部材の内側突出部の先端部と雌部材の内底部との間に前記付勢部材の収まる間隔を十分に確保させて、雄部材の外側筒状部における底側にできるだけ近い位置（すなわち、また、雌部材の筒状部における底側にできるだけ近い位置）で、前記付勢部材の付勢により雄部材の掛合部と雌部材との掛合部とが掛合するようにさせることができる。
【００１４】
これにより、かかる構成によれば、前記付勢部材の付勢による雄部材の掛合部と雌部材の掛合部との掛合状態、すなわち、前記紐の抜け出し状態（当該紐への非留め付け状態）において、留め具の全長、すなわち、前記雌部材の外底部から前記雄部材の外底部までの長さを、留め具の機能を損なわずに、できるだけ小さくすることができる。
【００１５】
また、雄部材の外側筒状部の内面と内側突出部の外面との間で、押し込まれる向きに、また、前記バネの付勢により抜き出される向きに相対的に移動される雌部材の筒状部を案内させることから、当該雄部材および雌部材の移動操作ならびに移動を円滑に行わせることができる。
【００１６】
また、請求項２記載の発明にあっては、さらに、請求項１記載の紐の留め具における雄部材の外側筒状部の開放側の筒端よりも内側突出部の先端部が低くしてあると共に、当該外側筒状部の開放側の筒端側に雌部材との掛合部が設けてある構成とした。
【００１７】
かかる構成によれば、前記雄部材の内側突出部の先端部と雌部材の内底部との間に前記付勢部材の収まる間隔を十分に確保させて、雄部材の外側筒状部における底側にできるだけ近い位置で、前記付勢部材の付勢により雄部材の掛合部と雌部材との掛合部とが掛合するようにさせることができる。
【００１８】
また、請求項３記載の発明にあっては、さらに、請求項１又は請求項２記載の紐の留め具における掛合部が、雌部材の筒状部の底部側に向けられた掛合面を備えた雌側突部と、雄部材の外側筒状部の底部側に向けられた掛合面を備えた雄側突部とから構成してあり、前記雄部材の外側筒状部と内側突出部との間への前記雌部材の筒状部の差し入れに伴なう弾性変形により、前記雄側突部の掛合面と前記雌側突部の掛合面とが向き合うように、当該雄側突部を雌側突部が乗り越えるように構成してある。
【００１９】
かかる構成によれば、雄部材と雌部材とを、雄部材への雌部材の前記差し入れに伴って、ワンタッチで、前記付勢部材の付勢により両者の掛合面が掛合されるように、組み合わせることができる。
【００２０】
前記雄側突部の雌側突部の乗り越えをし易くする観点からは、雌部材および雄部材の双方又はいずれか一方を、弾性変形特性を備えたプラスチック材料などにより構成することが好ましい。
【００２１】
また、請求項４記載の発明にあっては、さらに、請求項１、請求項２又は請求項３記載の紐の留め具における雌部材の筒状部における底部側に、当該筒状部の外面から外側に張り出す鍔部が設けてあると共に、当該雌部材の各通し穴と雄部材の各通し穴とが紐の通し入れ、又は、引き抜き可能に連通される当該雌部材への当該雄部材の所定の差し入れ位置で、前記鍔部に前記雄部材の外側筒状部の開放側の筒端が突き当たる構成としてある。
【００２２】
かかる構成によれば、前記鍔部に前記雄部材の外側筒状部の開放側の筒端が突き当たる位置までの前記雌部材への当該雄部材の押し込みをすれば、常に、各紐の通し穴に紐を通せ、また、抜き出せる状態にすることができ、留め具の取扱が容易なものとされると共に、かかる雌部材の鍔部により、雄部材の開放端は外観上目立ちにくいものとされ、留め具の外観性を向上させることができる。
【００２３】
【発明の実施の形態】
以下、この発明の典型的な実施の形態について説明する。
【００２４】
（第一の実施の形態）
先ず、図１ないし図１２に示される実施の形態について説明する。
【００２５】
なお、ここで図１は、この実施の形態にかかる紐の留め具の外観構成を理解し易いように、紐Ｗへの非留め付け状態にある当該留め具を斜視の状態として示している。また、図２は、当該留め具の全体構成を理解し易いように、雄部材２、付勢部材３、雌部材１を分離して、斜視の状態として示している。
【００２６】
また、図３から図８は、いずれも図１の状態にある留め具を示しており、図３を正面図とした場合、図４は背面図、図５は右側面図、図６は平面図であり、左側面図は図５と、また、底面図は図６と同一に表れるものとされる。図７および図８は、向きを互いに９０度異ならせて当該留め具を縦断面にして示した図である。
【００２７】
また、図９および図１０は、紐Ｗへの留め付け状態にある留め具をそれぞれ縦断面にして表しており、図９に対して図１０は９０度向きを異ならせた位置で当該留め具を縦断面にして表している。
【００２８】
また、図１１および図１２は、雌部材１に対し雄部材２を最大に押し込んだ状態にある留め具をそれぞれ縦断面にして表しており、図１１に対して図１２は９０度向きを異ならせた位置で当該留め具を縦断面にして表している。
【００２９】
この実施の形態にかかる紐の留め具は、一方の筒端を開放１２させた有底筒状部１１を有する雌部材１と、この雌部材１を前記開放１２側から移動可能に入り込ませる間隔を開けて設けられた有底の外側筒状部２１と内側突出部２２とを有する雄部材２とを備えている。
【００３０】
前記雌部材１の内底部１３ａと雄部材２の内側突出部２２の先端部２２ａとの間には、付勢部材３としての圧縮コイルバネ３’が介装されており、このバネ３’により、かかる雌部材１は雄部材２における前記外側筒状部２１と内側突出部２２との間に入り込まされながら、当該雄部材２内から抜け出す向きに常時付勢される。（すなわち、また、雌部材１内から雄部材２を抜け出させる向きに、当該雄部材２は常時付勢される。）その一方で、前記雌部材１の筒状部１１外側と前記雄部材２の外側筒状部２１の内側とには、前記バネ３’の付勢により相互に掛合し合う掛合部１４、２４が形成してあることから、この掛合位置より先に前記雄部材２は抜け出されず、かかる雄部材２を前記バネ３’の付勢に抗して雌部材１内に押し込まない状態では、この掛合部１４、２４を掛合させた位置に雌部材１に対して雄部材２は位置される。
【００３１】
また、前記雌部材１の筒状部１１には、この筒状部１１の筒軸に直交する向きにある向き合った側部に、紐Ｗの通し穴１５がそれぞれ透設してある。一方、前記雄部材２の外側筒状部２１と内側突出部２２とにはそれぞれ、この雄部材２の抜き差し方向に直交する向きに、相互に連通される紐の通し穴２１ａ、２２ｃが透設してある。そして、前記雌部材１の前記雄部材２への所定の差し入れ位置で、当該雌部材１の各通し穴１５、１５と雄部材２の各通し穴２１ａ、２２ｃ…とが紐Ｗの通し入れ、又は、引き抜き可能に連通される（以下、この位置を各通し穴の連通位置Ｒという。）構成としてある。
【００３２】
この結果、この実施の形態にかかる紐の留め具にあっては、前記バネ３’の付勢に抗しながら前記雄部材２を、前記連通位置Ｒまで、前記雌部材１内に押し込み、この連通位置Ｒにおいて前記各通し穴１５、２１ａ、２２ｃ…に紐Ｗを通した後、当該雄部材２の押し込みを解くことにより、前記バネ３’の付勢により雄部材２を雌部材１内から抜け出す向きに移動させ、この雄部材２の移動により、当該雌部材１の通し穴１５縁と当該雄部材２の通し穴２１ａ、２２ｃ縁とで前記紐Ｗを挟み付けて、かかる紐Ｗに留め付けることができる。
【００３３】
したがって、かかる紐の留め具は、典型的には、衣服や、袋物などの開口を巡る絞り紐や、引き締め紐などの紐Ｗの適宜の位置に前記留め付けをなして、この絞り紐などの紐Ｗによるかかる衣服などの開口の絞り込み状態などを維持するための留め具として用いるのに適している。
【００３４】
そこで先ず、前記雌部材１について、より具体的に説明する。
【００３５】
この実施の形態にあっては、かかる雌部材１は、前記筒状部１１を円筒状としていると共に、この筒状部１１の一方の筒端を開放させ、かつ、他方の筒端を底板１３により閉塞させている。
【００３６】
かかる筒状部１１の内側においては、前記底板１３に周回状をなすリブ１３ｂが形成されており、このリブ１３ｂの外周面を位置決め面として、このリブ１３ｂを内側に収めて前記バネ３’の一端部がかかる底板１３に突き当てられる構成としてある。
【００３７】
また、かかる筒状部１１の筒軸の長さ方向略中程の位置であって、当該筒軸に直交する向きにある向き合った側部には、楕円状の穴縁形状を備えた紐の通し穴１５がそれぞれ透設してある。両側部に設けられた紐の通し穴１５はそれぞれ、前記筒軸方向において径を小さくするように設けてあると共に、互いに同寸法、同形状となるように構成してある。
【００３８】
また、かかる筒状部１１における前記底板１３による閉塞側の筒端部には、突き出し端のなす輪郭を円形状とするように、かかる筒状部１１の外側から突き出す鍔部１６が形成してある。この鍔部１６は、前記筒状部１１の底板１３外面と、この外面側において同面をなすように連なっている。
【００３９】
一方、前記雄部材２は、前記外側筒状部２１を円筒状としていると共に、この外側筒状部２１の一方の筒端を開放２１ｂさせ、かつ、他方の筒端を底板２１ｃにより閉塞させている。この外側筒状部２１の内径は、前記雌部材１の筒状部１１の外径よりもやや大きく構成してある。
【００４０】
また、前記外側筒状部２１の内側には、前記底板２１ｃから一体に、当該外側筒状部２１の開放２１ｂ側に向けて突き出す内側突出部２２が設けられている。この実施の形態にあっては、かかる内側突出部２２も、前記底板１３により一方の筒端を閉塞させた円筒状体２２ｄとして構成してある。かかる円筒状体２２ｄは、その外径を前記雌部材１における筒状部１１の内径よりもやや小さくするように構成してある。また、かかる円筒状体２２ｄの外面と、前記外側筒状部２１の内面との間には、前記雌部材１の筒状部１１の肉厚寸法よりもやや広い間隔Ｓ３が形成、確保されている。
【００４１】
また、前記外側筒状部２１における、この外側筒状部２１の筒軸に直交する向きにある向き合った側部には、楕円状の穴縁形状を備えた紐の通し穴２１ａがそれぞれ透設してある。両側部に設けられた紐の通し穴２１ａはそれぞれ、前記筒軸方向において径を小さくするように設けてあると共に、互いに同寸法、同形状となるように構成してある。
【００４２】
また、前記内側突出部２２となる前記円筒状体２２ｄにおける、この円筒状体２２ｄの筒軸に直交する向きにある向き合った側部には、楕円状の穴縁形状を備えた紐の通し穴２２ｃがそれぞれ透設してある。両側部に設けられた紐の通し穴２２ｃはそれぞれ、前記筒軸方向において径を小さくするように設けてあると共に、互いに同寸法、同形状となるように構成してある。また、この円筒状体２２ｄの紐の通し穴２２ｃは、前記外側筒状部２１に設けられた紐の通し穴２１ａと向き合う位置に設けられ、かつ、外側筒状部２１の紐の通し穴２１ａと同寸法、同形状で、しかも、穴の中心を外側筒状部２１の紐の通し穴２１ａの穴の中心と略同一の線上に位置させるように設けてある。
【００４３】
また、前記内側突出部２２となる円筒状体２２ｄは、その開放２２ｆ側の筒端を前記外側筒状部２１の開放２１ｂ側の筒端よりも低くするように、前記底板１３から突き出されている。
【００４４】
また、かかる内側突出部２２となる円筒状体２２ｄにおける開放２２ｆ側の筒端には、当該円筒状体２２ｄの外側面と当該筒端面２２ｂとが接する縁部との間に間隔を開けて、当該円筒状体２２ｄの開放２２ｆ縁に沿って当該開放２２ｆ縁を巡る周回リブ２２ｅが形成されている。そして、このリブ２２ｅの外周面を位置決め面として、このリブ２２ｅを内側に収めて前記バネ３’の他端部がかかる円筒状体２２ｄの開放２２ｆ側の筒端面２２ｂに突き当てられる構成としてある。
【００４５】
また、この実施の形態にあっては、前記雄部材２の外側筒状部２１における前記両側部に設けられた一対の通し穴２１ａ、２１ａに挟まれた、当該外側筒状部２１の両側部内側に、この外側筒状部２１の筒軸に沿ったガイド溝２１ｄがそれぞれ設けてあると共に、前記雌部材１の筒状部１１の前記両側部に設けられた一対の通し穴１５、１５に挟まれた、当該筒状部１１の両側部外側に、前記ガイド溝２１ｄに収まる幅で、かつ、上下に長く形成された雌側突部１７がそれぞれ設けられている。そして、かかる雄部材２側のガイド溝２１ｄのそれぞれに、かかる雌部材１の雌側突部１７を収めた状態で、当該雌部材１の雄部材２内への押し込みに伴って、前記各通し穴が前記連通位置Ｒを持つように、当該雌部材１と雄部材２とが組み合わされる構成としてある。
【００４６】
また、この実施の形態にあっては、前記雄部材２の外側筒状部２１における開放２１ｂ側において、前記ガイド溝２１ｄの溝底から突き出される雄側突部２４ａを備えている。この雄側突部２４ａは、外側筒状部２１の開放２１ｂ端から奥側に向けて次第に高まる傾斜面２４ｃを有すると共に、この傾斜面２４ｃの頂上と前記ガイド溝２１ｄの溝底面との間に、雄部材２の底板側に向いた段面２４ｂを有している。そして、この雄側突部２４ａと前記雌部材１の雌側突部１７とにより、前記バネ３’の付勢により掛合される掛合部１４、２４を構成している。
【００４７】
すなわち、この実施の形態にあっては、前記雌部材１と前記雄部材２とが所望の弾性変形特性を備えたプラスチック材料により一体に成形して構成してあると共に、前記ガイド溝２１ｄに前記雌側突部１７を位置合わせした状態で、前記雄部材２の外側筒状部２１と内側突出部２２との間に前記雌部材１の筒状部１１をその開放１２側から押し入れることに伴って、前記雄側突部２４ａの傾斜面２４ｃを利用して、前記雌部材１および雄部材２の双方またはいずれか一方を弾性変形させて、前記雌側突部１７にこの雄側突部２４ａを乗り越えさせ、この後弾性復帰させて、この乗り越え後は当該雌側突部１７における底板側の段面１７ａと前記雄側突部２４ａにおける段面２４ｂとが、前記バネ３’の付勢により掛合される掛合面となって、この掛合位置より先への前記雄部材２の前記雌部材１内からの抜け出しが阻止されるようにしてある。
【００４８】
そして、この実施の形態にあっては、前記各通し穴１５、２１ａ、２２ｃの連通位置Ｒにおいて、前記バネ３’がほぼ最大限に圧縮される構成としてある。
【００４９】
ここで、この実施の形態にあっては、前記雄部材２の外側筒状部２１と雌部材１の筒状部とに前記掛合部１４、２４を形成してあることから、前記バネ３’の他端部が突き当てられる前記雄部材２の内側突出部２２とされる円筒状体２２ｄの開放２２ｆ側にある筒端面２２ｂと、当該雄部材２の内側突出部２２における紐の通し穴２２ｃの当該円筒状体２２ｄの開放２２ｆ側にある穴縁までの間隔を可能な限り小さくすることが可能とされる。
【００５０】
この結果、この実施の形態にあっては、前記各紐の通し穴１５、２１ａ、２２ｃ…の連通位置Ｒにおける、前記雄部材２の内側突出部２２とされる円筒状体２２ｄの開放２２ｆ側の筒端面２２ｂと前記雌部材１の底板１３内面との間に、前記略最大限に圧縮されたバネ３’が収まるために必要な間隔Ｓ２を確保させながら、前記掛合部１４、２４の掛合位置を可能な限り雄部材２の底板２１ｃに近い位置に設定することができ、紐Ｗに対する非留め付け状態にあるかかる掛合部１４、２４を掛合させた位置における留め具（図７、図８）の全長、すなわち、前記雌部材１の底板１３外面から雄部材２の底板２１ｃ外面までの寸法Ｓ１をできるだけ小さくさせるように、留め具を構成することができる。
【００５１】
また、雄部材２の外側筒状部２１の内面と内側突出部２２の外面との間で、押し込まれる向きに、また、前記バネ３’の付勢により抜き出される向きに相対的に移動される雌部材１の筒状部１１を案内させることから、当該雌部材１および雄部材２の移動操作ならびに移動を円滑に行わせることができる。
【００５２】
また、この実施の形態にあっては、円筒状体２２ｄとして構成される前記雄部材２の外側筒状部２１が前記通し穴２１ａを有することから、前記連通位置Ｒにおいて各紐の通し穴１５、２１ａ、２２ｃ…に通され引き出された紐Ｗに対し、前記バネ３’による雄部材２の付勢移動により、前記内側突出部２２の通し穴２２ｃの穴縁と当該雌部材１の通し穴１５の穴縁との間のみならず、前記外側筒状部２１の通し穴２１ａの穴縁と前記雌部材１の通し穴１５の穴縁との間においても、通された紐Ｗに対する挟み付けをなすことができる。
【００５３】
また、この実施の形態にあっては、前記連通位置Ｒにおいて、前記雄部材２の外側筒状部２１の開放２１ｂ端が前記雌部材１の鍔部１６における当該雌部材１の筒状部１１の開放１２側に向けられた面に突き当てられる構成としてある。（図１１、図１２）この結果、この突き当たり位置までの前記雌部材１の押し込みをすれば、常に、各紐の通し穴１５、２１ａ、２２ｃ…に紐Ｗを通せ、また、抜き出せる状態にすることができ、取扱が容易なものとされている。
【００５４】
また、かかる雌部材１の鍔部１６により、雄部材２の外側筒状部２１における開放２１ｃ端は外観上目立ちにくいものとされ、留め具の外観性を向上させることができる。
【００５５】
なお、この実施の形態にあっては、前記雌部材１の筒状部１１における開放１２側であって、前記通し穴１５の直上位置にそれぞれ、この通し穴１５と開放１２端との間の剛性を保ち易いように、突出部１８が形成してあると共に、前記雄部材２の底板２１ｃに、前記連通位置Ｒにおいて当該突出部１８を収める凹所２３が形成してある。
【００５６】
また、この実施の形態にあっては、雄部材２の底板２１ｃ外面および雌部材１の底板１３外面がそれぞれ、その中央に向かうに連れて低まる凹所面１３ｃ、２１ｅとして形成されており、この凹所面１３ｃ、２１ｅに指の腹をホールドさせて、かかる雄部材２および雌部材１の双方またはいずれか一方の押し込み操作を行い易いものとしている。
【００５７】
（第二の実施の形態）
次いで、図１３ないし図２６に示される実施の形態について説明する。
【００５８】
なお、ここで図１３は、この実施の形態にかかる紐の留め具の外観構成を理解し易いように、紐Ｗへの非留め付け状態にある当該留め具を斜視の状態として示している。また、図１４は、当該留め具の全体構成を理解し易いように、雄部材２、付勢部材３、雌部材１を分離して、斜視の状態として示している。
【００５９】
また、図１５から図２０は、いずれも図１３の状態にある留め具を示しており、図１５は正面図とした場合、図１６は背面図、図１７は右側面図、図１８は平面図であり、左側面図は図１７と、また、底面図は図１８と同一に表れるものとされる。図１９および図２０は、向きを互いに９０度異ならせて当該留め具を縦断面にして示した図である。
【００６０】
また、図２１から図２３は、いずれも雄部材２を示しており、図２１は当該雄部材２を底板２１ｃにより塞がれた側と反対の側から、また、図２２は縦断面の状態として、さらに、図２３は横断面の状態として、それぞれ示している。
【００６１】
また、図２４および図２５は、いずれも雌部材１を示しており、図２４は当該雌部材１を底板１３により塞がれた側と反対の側から、また、図２５は側方から見て、それぞれ示している。
【００６２】
また、図２６は、雌部材１と雄部材２との掛合部１４、２４部分の構成を理解し易いように、この部分を拡大して断面として示している。
【００６３】
この実施の形態にあっては、雌部材１と雄部材２との掛合部１４、２４の位置、および数を、前記第一の実施の形態と異ならせている。
【００６４】
すなわち、この実施の形態にあっては、（１）雄部材２における外側筒状部２１の内側であって、この外側筒状部２１における一対の紐の通し穴２１ａ、２１ａのそれぞれの側において、この通し穴２１ａを挟んだ両側位置に、この外側筒状部２１の底板２１ｃ側から開放２１ｂ側に向けて当該外側筒状部２１の筒軸に沿って延びる第一のガイド溝２１ｄが設けてある。したがって、かかる第一のガイド溝２１ｄは、前記外側筒状部２１に、互いに略等しい間隔を開けて四か所に設けてある。また、（２）雌部材１における筒状部１１の開放１２側の外側であって、この雌部材１における紐の通し穴１５を挟んだ両側位置にそれぞれ、この筒状部１１における一対の紐の通し穴１５、１５のそれぞれの側において、前記第一のガイド溝２１ｄに収まる幅で、かつ、上下に長く形成された第一の雌側突部１７が設けてある。したがって、かかる第一の雌側突部１７も、前記雌部材１に、互いに略等しい間隔を開けて四か所に設けてある。そして、（３）かかる雄部材２側の四つの第一のガイド溝２１ｄ、２１ｄ…のそれぞれに、かかる雌部材１の四つの第一の雌側突部１７、１７…を個別に収めた状態で、当該雌部材１の雄部材２内への押し込みに伴って、前記各通し穴１５、２１ａ、２２ｃ…が前記連通位置Ｒを持つように、当該雌部材１と雄部材２とが組み合わされる構成としてある。
【００６５】
また、この実施の形態にあっては、前記雄部材２が、この雄部材２の外側筒状部２１における開放２１ｂ側において、前記第一のガイド溝２１ｄの溝底から突き出される雄側突部２４ａを備えている。この雄側突部２４ａは、外側筒状部２１の開放２１ｂ端から奥側に向けて次第に高まる傾斜面２４ｃを有すると共に、この傾斜面２４ｃの頂上と前記ガイド溝２１ｄの溝底面との間に、雄部材２の底板側に向いた段面２４ｂを有している。そして、この雄側突部２４ａと前記雌部材１の第一の雌側突部１７とにより、前記バネ３’の付勢により掛合される掛合部１４、２４を構成している。
【００６６】
すなわち、この実施の形態にあっては、前記雌部材１と前記雄部材２とが所望の弾性変形特性を備えたプラスチック材料により一体に成形して構成してあると共に、前記第一のガイド溝２１ｄに前記第一の雌側突部１７を位置合わせした状態で、前記雄部材２の外側筒状部２１と内側突出部２２との間に前記雌部材１の筒状部１１をその開放１２側から押し入れることに伴って、前記雄側突部２４ａの傾斜面２４ｃおよびこの傾斜面２４ｃに突き当てられる雌側突部１７の傾斜面１７ｂを利用して、前記雌部材１および雄部材２の双方またはいずれか一方を弾性変形させて、前記第一の雌側突部１７にこの雄側突部２４ａを乗り越えさせ、この後弾性復帰させて、この乗り越え後は当該第一の雌側突部１７における底板１３側の段面１７ａと前記雄側突部２４ａにおける段面２４ｂとが、前記バネ３’の付勢により掛合される掛合面となって、この掛合位置より先への前記雄部材２の前記雌部材１内からの抜け出しが阻止されるようにしてある。
【００６７】
この結果、この実施の形態にあっては、前記雄部材２の外側筒状部２１が、この雄部材２の四周のいずれの向きから押圧されても、この押圧による当該外側筒状部２１の変形に伴って前記掛合部１４、２４の掛合が解かれ難く、前記雄部材２と雌部材１の組み合わせ状態を安定的に維持することができる。
【００６８】
すなわち、この実施の形態にあっては、例えば、図１４におけるＦａ方向に筒径を狭める向きの押圧力が雄部材２の外側筒状部２１に作用された場合には、このＦａ方向側にある前記掛合部１４、２４により、また、図１４におけるＦｂ方向に筒径を狭める向きの押圧力が雄部材２の外側筒状部２１に作用された場合には、このＦｂ方向側にある前記掛合部１４、２４により、雌部材１からの雄部材２の抜け出しを確実に阻止することができ、かかる雌部材１と雄部材２との組み合わせ状態を安定的に維持することができる。
【００６９】
なお、この実施の形態にあっては、前記雄部材２の外側筒状部２１における前記両側部に設けられた一対の通し穴２１ａ、２１ａに挟まれた、当該外側筒状部２１の両側部内側において、隣り合う前記第一のガイド溝２１ｄ、２１ｄ間に、この外側筒状部２１の筒軸に沿った第二のガイド溝２１ｆがそれぞれ設けてあると共に、前記雌部材１の筒状部１１の前記両側部に設けられた一対の通し穴１５、１５に挟まれた、当該筒状部１１の両側部外側に、前記第二のガイド溝２１ｆに収まる幅で、かつ、上下に長く形成された第二の雌側突部１９がそれぞれ設けられている。
【００７０】
この実施の形態にかかる留め具のその余の構成は、第一の実施の形態にかかる留め具と実質的に同一であるので、この実質的に同一の構成部分については第二の実施の形態にかかる留め具を示す図１３ないし図２６に第一の実施の形態にかかる留め具を示す図１ないし図１２において用いた符号と同一の符号を付して、その説明を省略する。
【００７１】
【発明の効果】
この発明にかかる紐の留め具によれば、留め具からの紐の抜け出し状態、すなわち、当該紐への非留め付け状態において、留め具の全長を、留め具の機能を損なわずに、できるだけ小さくできる。また、留め具における操作性、外観性を向上させることができる。
【図面の簡単な説明】
【図１】第一の実施の形態に係る留め具の斜視図
【図２】第一の実施の形態に係る留め具の分解斜視図
【図３】第一の実施の形態に係る留め具の正面図
【図４】第一の実施の形態に係る留め具の背面図
【図５】第一の実施の形態に係る留め具の右側面図
【図６】第一の実施の形態に係る留め具の平面図
【図７】図６におけるＡ−Ａ線断面図
【図８】図６におけるＢ−Ｂ線断面図
【図９】紐Ｗへの留め付け状態を示す縦断面図
【図１０】紐Ｗへの留め付け状態を、図１０と異なる向きから見て示す、縦断面図
【図１１】連通位置Ｒにある第一の実施の形態に係る留め具を示す縦断面図
【図１２】連通位置Ｒにある第一の実施の形態に係る留め具を、図１１と異なる向きから見て示す、縦断面図
【図１３】第二の実施の形態に係る留め具の斜視図
【図１４】第二の実施の形態に係る留め具の分解斜視図
【図１５】第二の実施の形態に係る留め具の正面図
【図１６】第二の実施の形態に係る留め具の背面図
【図１７】第二の実施の形態に係る留め具の右側面図
【図１８】第二の実施の形態に係る留め具の平面図
【図１９】図１８におけるＣ−Ｃ線断面図
【図２０】図１８におけるＤ−Ｄ線断面図
【図２１】雄部材２の底面図
【図２２】雄部材２の縦断面図
【図２３】雄部材２の横断面図
【図２４】雌部材１の底面図
【図２５】雌部材１の側面図
【図２６】雌部材１の掛合部１４と雄部材２の掛合部２４とを示す要部拡大断面図
【図２７】従来の留め具の縦断面図
【図２８】従来の留め具の縦断面図
【図２９】従来の留め具の縦断面図
【符号の説明】
１  雌部材
１１  筒状部
１２  開放
１４  掛合部
１５  通し穴
２  雄部材
２１  外側筒状部
２１ａ  通し穴
２１ｂ  開放
２２  内側突出部
２２ａ  先端部
２２ｃ  通し穴
２４  掛合部
３  付勢部材
Ｗ  紐
【図１】
0004102485.tif 000002
【図２】
0004102485.tif 000003
【図３】
0004102485.tif 000004
【図４】
0004102485.tif 000005
【図５】
0004102485.tif 000006
【図６】
0004102485.tif 000007
【図７】
0004102485.tif 000008
【図８】
0004102485.tif 000009
【図９】
0004102485.tif 000010
【図１０】
0004102485.tif 000011
【図１１】
0004102485.tif 000012
【図１２】
0004102485.tif 000013
【図１３】
0004102485.tif 000014
【図１４】
0004102485.tif 000015
【図１５】
0004102485.tif 000016
【図１６】
0004102485.tif 000017
【図１７】
0004102485.tif 000018
【図１８】
0004102485.tif 000019
【図１９】
0004102485.tif 000020
【図２０】
0004102485.tif 000021
【図２１】
0004102485.tif 000022
【図２２】
0004102485.tif 000023
【図２３】
0004102485.tif 000024
【図２４】
0004102485.tif 000025
【図２５】
0004102485.tif 000026
【図２６】
0004102485.tif 000027
【図２７】
0004102485.tif 000028
【図２８】
0004102485.tif 000029
【図２９】
0004102485.tif 000030